(57)【要約】【課題】給湯器本体１の前面パネル２に開設した窓穴２０に給湯器本体に取付けた操作ボックス７を挿入し、操作ボックスの前面に、操作ボックスの前面中央領域の操作部７０が嵌合する開口９０を有するボックスカバー９を取付けて成る給湯器において、操作ボックスの取付け位置のずれを生じても、体裁を良好に保つことができるようにする。【解決手段】ボックスカバー９を、操作ボックス７の輪郭の外方に張り出して、操作ボックス７と窓穴２０との間の隙間を前方から覆うことが可能な大きさに形成する。また、前面パネル２の窓穴２０の開設箇所を含む部分に、ボックスカバー９に対応する大きさの窪み部２３を形成し、ボックスカバー９の外縁の裏面側コーナ部９６が窪み部２３に入り込むようにする。【選択図】図３
2005195246.tif 000002
【特許請求の範囲】
【請求項１】
給湯器本体の前面パネルに開設した窓穴に給湯器本体に取付けた操作ボックスを挿入し、操作ボックスの前面に、操作ボックスの前面中央領域の操作部が嵌合する開口を有するボックスカバーを取付けて成る給湯器において、
ボックスカバーを、操作ボックスの輪郭の外方に張り出して、操作ボックスと窓穴との間の隙間を前方から覆うことが可能な大きさに形成すると共に、
前面パネルの窓穴の開設箇所を含む部分に、ボックスカバーに対応する大きさの窪み部を形成し、ボックスカバーの外縁の裏面側コーナ部が窪み部に入り込むようにすることを特徴とする給湯器。
【請求項２】
前記窪み部の周囲の前面パネルの部分に対する窪み部の外縁の段差部を、前面パネルの前記部分にアールの付いた曲面部を介して連続する傾斜面に形成することを特徴とする請求項１記載の給湯器。
【請求項３】
前記ボックスカバーの外縁の裏面側コーナ部が前記傾斜面の中腹部分に対向することを特徴とする請求項２記載の給湯器。
【請求項４】
前記傾斜面は、前記窪み部の底面にアールの付いた曲面部を介して連続することを特徴とする請求項３記載の給湯器。
【発明の詳細な説明】
【技術分野】
【０００１】
本発明は、給湯温度の設定といった各種の設定操作を行う操作ボックスを給湯器本体に取付けた給湯器に関する。
【背景技術】
【０００２】
従来、この種の給湯器では、給湯器本体の前面パネルに窓穴を開設し、給湯器本体に取付けた操作ボックスが窓穴に挿入されるようにしている(例えば、特許文献１参照)。ここで、操作ボックスとして、給湯器用のリモコンと同一のものを用いるものも知られている。この操作ボックス(リモコン)は、前面中央領域に操作部を有するボックス本体と裏蓋とをねじで締結して構成されている。そして、操作ボックスの前面に、操作部が嵌合する開口を有するボックスカバーを取付け、ボックス本体と裏蓋とを締結するねじが外観に現われないようにしている。
【特許文献１】実開昭６４−５３８５８号公報(明細書第４〜５頁、第２図)
【発明の開示】
【発明が解決しようとする課題】
【０００３】
ところで、上記従来例の如く、前面パネルの窓穴に操作ボックスを挿入する場合、前面パネルと操作ボックスとの相対位置関係のずれを生じても、窓穴に操作ボックスを挿入できるように、窓穴を操作ボックスの輪郭より或る程度大きく形成することが必要になる。そのため、操作ボックスと窓穴との間に隙間を生ずる。そして、前面パネルに対する操作ボックスの位置ずれを生じた場合、操作ボックスと窓穴との間の隙間が全周に亘って均一にならず、体裁を損なう。
【０００４】
本発明は、以上の点に鑑み、操作ボックスの位置ずれを生じても、体裁が良好に保たれるようにした給湯器を提供することをその課題としている。
【課題を解決するための手段】
【０００５】
上記課題を解決するために、本発明では、給湯器本体の前面パネルに開設した窓穴に給湯器本体に取付けた操作ボックスを挿入し、操作ボックスの前面に、操作ボックスの前面中央領域の操作部が嵌合する開口を有するボックスカバーを取付けて成る給湯器において、ボックスカバーを、操作ボックスの輪郭の外方に張り出して、操作ボックスと窓穴との間の隙間を前方から覆うことが可能な大きさに形成すると共に、前面パネルの窓穴の開設箇所を含む部分に、ボックスカバーに対応する大きさの窪み部を形成し、ボックスカバーの外縁の裏面側コーナ部が窪み部に入り込むようにしている。
【０００６】
上記の構成によれば、前面パネルに対する操作ボックスの位置ずれにより、窓穴との間の操作ボックスの周囲の隙間が不均一になっても、この隙間はボックスカバーで覆われて外観に現れず、体裁を損なうことはない。ここで、前面パネルに対する操作ボックスの位置ずれを生ずると、操作ボックスに取付けられるボックスカバーも前面パネルに対し位置ずれする。そして、操作ボックスの前後方向の位置ずれにより、前面パネルとボックスカバーとの間の隙間がばらつくことがある。然し、本発明では、上記の如く前面パネルの窪み部にボックスカバーの外縁の裏面側コーナ部が入り込んでいるため、上下方向や横方向から見ても、前面パネルとボックスカバーとの間の隙間は目視できない。従って、体裁を良好に保つことができる。
【０００７】
尚、窪み部の周囲の前面パネルの部分に対する窪み部の外縁の段差部が前面パネルから直角に凹入するように形成されていると、窪み部の外縁(輪郭)が明瞭に視認される。そして、操作ボックスの位置ずれによるボックスカバーの位置ずれで、窪み部の外縁との間のボックスカバーの周囲の隙間が不均一になると、この隙間の不均一さが目立ち、体裁を損なう。
【０００８】
これに対し、窪み部の周囲の前面パネルの部分に対する窪み部の外縁の段差部を、前面パネルの前記部分にアールの付いた曲面部を介して連続する傾斜面に形成すれば、窪み部の外縁(輪郭)を明瞭に視認できなくなる。そのため、窪み部の外縁との間のボックスカバーの周囲の隙間が不均一になっても、あまり目立たない。
【０００９】
尚、このように段差部を傾斜面に形成しても、ボックスカバーの外縁が傾斜面より内方にずれると、窪み部の底面が外観に現れて、ずれが目立つ。この場合、ボックスカバーの外縁の裏面側コーナ部が傾斜面の中腹部分に対向するようにしておけば、ボックスカバーが多少位置ずれしても、窪み部の底面は外観に現れず、体裁を良好に保つことができる。
【００１０】
また、傾斜面が、窪み部の底面にアールの付いた曲面部を介して連続するように形成されていれば、窪み部の底面と傾斜面との境界が明瞭に視認できなくなる。そのため、窪み部の底面が外観に現れるほどボックスカバーが位置ずれした場合の体裁の悪化を防ぐのに役立つ。
【発明を実施するための最良の形態】
【００１１】
以下、本発明の実施形態を図面を参照して説明する。図１は本発明の実施形態の給湯器を示す前面パネルの一部を切除した正面図、図２は実施形態の給湯器の前面パネルのボックスカバーを取り外した状態の要部の正面図、図３は図１のＩＩＩ−ＩＩＩ線で切断した切断面図は、図４は図１のＩＶ−ＩＶ線で切断した切断面図、図５は前面パネルの窪み部の外縁の段差部の拡大断面図である。
【００１２】
図１に示した給湯器は、前面パネル２で前面が覆われる箱形の給湯器本体１内に、バーナ(図示省略)を内蔵する燃焼筐３と、燃焼筐３の上端に連設した熱交換器４とを備えている。熱交換器４は、燃焼筐３に連通する燃焼室を形成する胴部４ａと、胴部４ａの上部に装着した多数のフィンを有する吸熱部４ｂとで構成される。そして、吸熱部４ｂに設けた蛇行形状の吸熱管４ｃの上流端に給水管４ｄ、下流端に給湯管４ｅを接続し、給水管４ｄから給湯管４ｅに通水する際に、水を吸熱部４ｂにおいてバーナの燃焼排気により加熱する。
【００１３】
また、給湯器本体１内には、熱交換器４の上方位置から燃焼筐３の下部の燃焼ファン(図示省略)に亘って延在する給気ダクト５が設けられている。給湯器本体１の上端には、熱交換器４に連通する内管６ａと、給気ダクト５に連通する外管６ｂとから成る内外２重構造の給排気管６が設けられている。そして、バーナの燃焼排気を熱交換器４から内管６ａを介して外部に排出すると共に、外気を外管６ｂと給気ダクト５と燃焼ファンとを介して燃焼筐３内に燃焼用空気として供給している。
【００１４】
また、給湯器本体１には、給湯器用のリモコンと同一の操作ボックス７が取付けられている。そして、前面パネル２に、図２に示す如く、操作ボックス７に対応する窓穴２０を開設して、この窓穴２０に操作ボックス７を挿入している。操作ボックス７は、図２，図３に示す如く、ボックス本体７０と裏蓋７１とをねじ７２で締結することにより組み立てられる。ボックス本体７０の前面中央領域には、表示部７３ａと各種操作ボタン７３ｂとを配置した操作部７３が設けられている。また、給湯器本体１には、操作ボックス７用の取付板８が設けられている。取付板８は、下端に、給湯器本体１の下端部に突き当てられる上下方向の位置決め用の片８ａと、給湯器本体１と前面パネル２との間に挟み込まれる前後方向の位置決め用の片８ｂとを有し、上端に、燃焼筐３の側面に当接する横方向の位置決め用の片８ｃと、燃焼筐３にねじ止めされる固定用の片８ｄとを有する。そして、操作ボックス７を、操作部７３の上方と下方において、取付板８にねじ７４により締結している。尚、操作ボックス７は、その背面から導出するリード線７５を介して給湯器本体１内に設けたコントローラ(図示省略)に接続され、操作ボタン７３ｂの操作で設定される給湯温度といった各種設定項目の設定内容がコントローラに送信される。
【００１５】
また、上記ねじ７２，７４を覆い隠すために、操作ボックス７の前面に、操作部７３が嵌合する開口９０を有する合成樹脂製のボックスカバー９を取付けている。ボックスカバー９の裏面には、操作ボックス７の前面外縁側の段差部に形成した突部７６に対応する爪片９１が突設されており、爪片９１を突部７６に係合させることにより、ボックスカバー９が操作ボックス７に取付けられる。
【００１６】
ところで、取付板８の位置ずれ等による給湯器本体１に対する操作ボックス７の位置ずれと、給湯器本体１に対する前面パネル２の位置ずれとの累積誤差により、前面パネル２と操作ボックス７との相対位置関係のずれを生ずることがある。このようなずれを生ずると、窓穴２０との間の操作ボックス７の周囲の隙間が不均一になる。そこで、ボックスカバー９は、操作ボックス７の輪郭の外方に張り出して、操作ボックス７と窓穴２０との間の隙間を前方から覆うことが可能な大きさに形成されている。これによれば、操作ボックス７と窓穴２０との間の隙間が目隠しされ、隙間が不均一になっても外観に現われないため、体裁を損なうことがない。
【００１７】
また、本実施形態では、ボックスカバー９を操作ボックス７の横方向一方に大きく張り出す横長の形状に形成している。そして、ボックスカバー９の横方向一方への張り出し部分に横方向の間隔を存して一対の取付け孔９２(図４参照)を形成し、各取付け孔９２に挿入したねじ９３を前面パネル２の対応する箇所に形成した各ねじ孔２１にねじ込むことにより、ボックスカバー９を前面パネル２に締結し、搬送中の振動等で爪片９１と突部７６との係合が解かれても、ボックスカバー９が脱落しないようにしている。尚、取付け孔９２は、図４に示す如く、ボックスカバー９の裏面側に膨出する中空のボス部９２ａの底面部分に形成されている。そして、ボス部９２ａと取付け孔９２の内径を夫々ねじ９３の頭部と軸部より大径に形成し、操作ボックス７の位置ずれでボックスカバー９の位置がずれても、ボックスカバー９を前面パネル２に締結できるようにしている。また、ボックスカバー９の横方向一方への張り出し部の前面には浅い窪み９４が形成されており、この窪み９４にロゴマーク等の標識を付したフィルムやプレート(図示省略)を貼着することにより、ねじ９３が外観に現われないようにしている。更に、ボックスカバー９の背面の四隅にピン部９５を突設すると共に、前面パネル２のピン部９５に対応する箇所にピン部９５より大径の孔２２を形成し、各ピン部９５を各孔２２に挿入することで、ボックスカバー９を操作ボックス７に取付ける際のボックスカバー９のラフ位置決めを行うことができるようにしている。
【００１８】
ところで、操作ボックス７の取付け位置の前後方向のずれにより、前面パネル２とボックスカバー９との間の隙間がばらつくことがある。この隙間が上下方向や横方向から目視可能であると、体裁を損なう。そこで、本実施形態では、前面パネル２の窓穴２０の開設箇所を含む部分に、ボックスカバー９に対応する大きさの窪み部２３を形成している。そして、ボックスカバー９の外縁の裏面側コーナ部９６が窪み部２３に入り込むようにしている。これによれば、前面パネル２とボックスカバー９との間の隙間は上下方向や横方向からも目視できなくなり、体裁が良好に保たれる。
【００１９】
また、本実施形態では、図５に明示するように、窪み部２３の周囲の前面パネル２の部分に対する窪み部２３の外縁の段差部を、前面パネル２の前記部分にアールの付いた曲面部２４ａを介して連続する傾斜面２４に形成し、更に、傾斜面２４が窪み部２３の底面部分にアールの付いた曲面部２４ｂを介して連続するようにしている。そして、前面パネル２に対し操作ボックス７が正規の位置に存する状態において、ボックスカバー９の外縁の裏面側コーナ部９６が傾斜面２４の中腹部分に対向するように、傾斜面２４の位置を設定している。尚、ボックスカバー９の外縁の裏面側コーナ部９６は、操作ボックス７の位置のずれによるボックスカバー９のずれを吸収できるように、傾斜面２４の中腹部分に隙間を存して対向している。
【００２０】
これによれば、窪み部２３の外縁の段差部を前面パネル２に対し直角に凹入するように形成する場合と異なり、窪み部２３の外縁(輪郭)を明瞭に視認できなくなる。そのため、窪み部２３の外縁との間のボックスカバー９の周囲の隙間が操作ボックス７の取付け位置のずれに起因して不均一になっても、目立たなくなる。また、ボックスカバー９の外縁が傾斜面２４より内方にずれて、窪み部２３の底面が外観に現れると、ずれが目立つが、本実施形態では、ボックスカバー９の外縁の裏面側コーナ部９６が傾斜面２４の中腹部分に位置するため、ボックスカバー９が多少位置ずれしても、窪み部２３の底面は外観に現れず、体裁を良好に保つことができる。また、傾斜面２４の底面側の曲面部２４ｂは省略することも可能であるが、曲面部２４ｂが形成されていれば、窪み部２３の底面と傾斜面２４との境界が明瞭に視認できなくなるため、窪み部２３の底面が外観に現れるほどボックスカバー９が位置ずれした場合の体裁の悪化を防ぐのに役立つ。
【００２１】
尚、上記実施形態では、ボックスカバー９を操作ボックス７の横方向一方に大きく張り出す横長形状に形成しているが、これに限るものではなく、操作ボックス７と窓穴２０との間の隙間を覆うという条件を満たす限り、ボックスカバー９の大きさ、形状は任意に設定できる。
【図面の簡単な説明】
【００２２】
【図１】本発明の実施形態の給湯器を示す前面パネルの一部を切除した正面図。
【図２】実施形態の給湯器の前面パネルのボックスカバーを取り外した状態の要部の正面図。
【図３】図１のＩＩＩ−ＩＩＩ線で切断した切断面図。
【図４】図１のＩＶ−ＩＶ線で切断した切断面図。
【図５】前面パネルの窪み部の外縁の段差部の拡大断面図。
【符号の説明】
【００２３】
１…給湯器本体、２…前面パネル、２０…窓穴、２３…窪み部、２４…傾斜面、２４ａ…傾斜面の頂部側の曲面部、２４ｂ…傾斜面の底面側の曲面部、７…操作ボックス、７３…操作部、９…ボックスカバー、９０…開口、９６…裏面側コーナ部。
【図１】
2005195246.tif 000003
【図２】
2005195246.tif 000004
【図３】
2005195246.tif 000005
【図４】
2005195246.tif 000006
【図５】
2005195246.tif 000007